【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
ポリマー内に記憶されているデータを読み取る方法であって、
ｉ）インダクタおよびセルを有する共振器を提供することであって、前記セルがナノポアおよびポリマーを有し、前記ポリマーが前記ナノポアを横断することができ、前記共振器が、プローブ周波数におけるＡＣ入力電圧に応答して、プローブ周波数でＡＣ出力電圧周波数応答を有する、提供することと、
ｉｉ）少なくとも前記プローブ周波数を有する前記ＡＣ入力電圧を提供することと、
ｉｉｉ）少なくとも前記プローブ周波数で前記ＡＣ出力電圧を監視することであって、前記プローブ周波数における前記ＡＣ出力電圧が、監視時に前記ポリマー内に記憶されている前記データを示す、監視することと
を含む方法。
【請求項２】
前記ポリマーが、異なる共振周波数応答を引き起こす異なる特性を有する少なくとも２つのタイプのモノマーまたはオリゴマーを含み、所望により、前記少なくとも２つのタイプのモノマーまたはオリゴマーが、少なくとも、前記ナノポア内にあるときに第１の共振周波数応答を引き起こす第１の特性を有する第１のモノマーまたはオリゴマーと、前記ナノポア内にあるときに第２の共振周波数応答を引き起こす第２の特性を有する第２のモノマーまたはオリゴマーとを含み、さらに所望により、前記プローブ周波数における前記第１の周波数応答の特徴が、前記プローブ周波数における前記第２の周波数応答の同じ特徴とは異なり、さらに所望により、前記第１および第２の周波数応答の前記特徴が、振幅および位相応答のうちの少なくとも１つを含み、さらに所望により、前記モノマーの前記第１の特性および前記第２の特性が、誘電体特性を含む、請求項１に記載の方法。
【請求項３】
前記セルが少なくとも頂部および底部電極を備え、前記ナノポアが前記電極間に配置され、前記セルが流体を有し、前記電極、前記ナノポア、および前記流体が、前記ポリマーが前記ナノポアを通過するときに変化する有効セルキャパシタンスを有する、請求項１から２のいずれか一項に記載の方法。
【請求項４】
前記インダクタが、前記共振器を生じさせるように前記有効キャパシタンスに直列接続され、前記インダクタおよび有効キャパシタンスの組合せが、前記共振周波数応答に関係する、請求項１から３のいずれか一項に記載の方法。
【請求項５】
前記ポリマーが、前記電極に印加されるＤＣ操舵電圧を介して前記ナノポアに通される、請求項１から４のいずれか一項に記載の方法。
【請求項６】
前記セルが、少なくとも３つのチャンバと、少なくとも２つのナノポアと、前記ポリマーを前記ナノポアに通す少なくとも３つの電極とを有する、請求項１から５のいずれか一項に記載の方法。
【請求項７】
前記ポリマーが、異なる共振周波数応答を引き起こす異なる特性を有する少なくとも２つのタイプのモノマーまたはオリゴマーを含み、前記ポリマー内の前記少なくとも２つのタイプのモノマーまたはオリゴマーの前記配列の少なくとも一部分が、コンピュータ可読コードの形態でデータを記憶する、請求項１から６のいずれか一項に記載の方法。
【請求項８】
前記ポリマーがＤＮＡを含み、前記ＤＮＡが、少なくとも２つのタイプのヌクレオチドを含み、各タイプのヌクレオチドが、前記プローブ周波数において固有の周波数応答を提供し、所望により、前記プローブ周波数が約１ＭＨｚ〜１ＧＨｚである、請求項１から７のいずれか一項に記載の方法。
【請求項９】
前記ポリマーが、少なくとも２つの異なるタイプのモノマーまたはオリゴマーを含み、各タイプが、前記プローブ周波数において少なくとも２つの異なる周波数応答を生じさせるように、前記共振器の前記周波数応答に影響を与える異なる誘電体特性を有する、請求項１から８のいずれか一項に記載の方法。
【請求項１０】
ポリマー内に記憶されているデータを読み取るナノポアに基づくデバイスであって、
ｉ）インダクタおよびセルを有する共振器であって、前記セルがナノポアおよびポリマーを有し、前記ポリマーが前記ナノポアを横断することができ、前記共振器が、プローブ周波数におけるＡＣ入力電圧に応答して、プローブ周波数でＡＣ出力電圧周波数応答を有する、共振器と、
ｉｉ）少なくとも前記プローブ周波数でＡＣ入力電圧を提供するように構成されたＡＣ入力電圧源と、
ｉｉｉ）少なくとも前記プローブ周波数で前記ＡＣ出力電圧を監視するように構成された監視デバイスであって、前記プローブ周波数における前記ＡＣ出力電圧が、監視時に前記ポリマー内に記憶されている前記データを示す、監視デバイスと
を備えるデバイス。
【請求項１１】
前記ポリマーが、前記プローブ周波数で異なる共振周波数応答を引き起こす異なる特性を有する少なくとも２つのモノマーまたはオリゴマーを含み、前記応答が、少なくとも２つの異なるデータビットを示す、請求項１０に記載のデバイス。
【請求項１２】
前記インダクタが、前記共振器を生じさせるように有効キャパシタンスに直列接続され、前記インダクタおよび有効キャパシタンスの組合せが、前記プローブ周波数における前記共振周波数応答に関係する、請求項１０に記載のデバイス。
【請求項１３】
ナノポアに基づくデバイス内で少なくとも２つの別個のモノマーまたはオリゴマーを含む荷電ポリマーを合成する方法であって、前記ナノポアに基づくデバイスが、
１つの反応周期において単一のモノマーまたはオリゴマーのみを付加することができるように、１つまたは複数のモノマーまたはオリゴマーを前記荷電ポリマーにブロック形態で付加するための緩衝溶液および試薬を収容する１つまたは複数の付加チャンバまたはチャネルと、
前記荷電ポリマーからブロッカ基を除去する緩衝溶液および試薬を収容する１つまたは複数のデブロックチャンバまたはチャネルとを備え、
前記付加チャンバまたはチャネルが、１つまたは複数のナノポアを含む１つまたは複数の膜によって前記デブロックチャンバまたはチャネルから分離され、
前記荷電ポリマーが、ナノポアを通過することができ、１つまたは複数のモノマーまたはオリゴマーの付加のための前記試薬のうちの少なくとも１つが、ナノポアを通過することができず、
前記方法が、
ａ）第１の末端および第２の末端を有する荷電ポリマーの前記第１の末端を、電気的引力によって付加チャンバまたはチャネル内へ動かし、それによって前記第１の末端にブロック形態でモノマーまたはオリゴマーが付加されることと、
ｂ）前記荷電ポリマーの前記第１の末端を前記付加されたモノマーまたはオリゴマーとともにブロック形態でデブロッカチャンバまたはチャネル内へ動かし、それによって前記付加されたモノマーまたはオリゴマーから保護基が除去されることと、
ｃ）前記所望のポリマー配列が得られるまで、工程ａ）およびｂ）を繰り返すことであって、工程ａ）で付加される前記モノマーまたはオリゴマーが同じまたは異なる、繰り返すことと、
ｄ）１つまたは複数のモノマーまたはオリゴマーが付加された後、前記ポリマー内のモノマーまたはオリゴマーの前記配列を検証することであって、前記配列が、請求項１から９のいずれか一項に記載の方法を使用して検証される、検証することと
を含む方法。
【請求項１４】
前記荷電ポリマーがＤＮＡであり、所望により、前記ポリマーの第２の末端が、表面に結合される、請求項１３に記載の方法。
【請求項１５】
前記デバイスが、第１のタイプのモノマーまたはオリゴマーを付加するのに好適な試薬を収容する１つまたは複数の第１の付加チャンバまたはチャネルと、第２のタイプのモノマーまたはオリゴマーを付加するのに好適な試薬を収容する１つまたは複数の第２の付加チャンバとを備え、工程ａ）で、前記荷電ポリマーの前記第１の末端が、第１のタイプのモノマーまたはオリゴマーを付加することが所望されるか、それとも第２のタイプのモノマーまたはオリゴマーを付加することが所望されるかに応じて、前記第１の付加チャンバまたは前記第２の付加チャンバ内へ動かされ、所望により、１つまたは複数のモノマーまたはオリゴマーを前記荷電ポリマーに付加するための前記試薬が、トポイソメラーゼ、ＤＮＡポリメラーゼ、またはこれらの組合せから選択された試薬を含む、請求項１４に記載の方法。